(57)【要約】      （修正有）【課題】宝くじの有効エリアと、包装装置の開封部又は被覆部とを関連付けることで、本物の宝くじを利用して商品の真偽を判断できる商品偽造防止用包装装置を提供する。【解決手段】収容空間を画定する筐体を備える商品偽造防止用包装装置であって、筐体は、収容空間からの商品の取り出しを容易にするために破壊される開封部を有し、筐体の外面に宝くじ部１が設けられ、宝くじ部の有効エリアは開封部の少なくとも一部を被覆し、有効エリアは開封部の破壊によって破壊される。また、筐体は、有効エリアを一括的に被覆すると共に開封部の少なくとも一部を被覆する被覆部をさらに有する。【選択図】図１
0003229334.tif 000002
【実用新案登録請求の範囲】
【請求項１】
商品を収容するための収容空間を画定する筐体を備える商品偽造防止用包装装置であって、前記筐体は、収容空間からの前記商品の取り出しを容易にするために破壊されるように構成されている開封部を有し、
前記筐体の外面に宝くじ部が設けられ、前記宝くじ部の有効エリアは前記開封部の少なくとも一部を被覆し、前記有効エリアは前記開封部の破壊によって破壊されるように構成されていることを特徴とする商品偽造防止用包装装置。
【請求項２】
前記有効エリアは、宝くじスクラッチエリア、宝くじバーコードエリア、及び賞品引き換えバーコードエリアのうちの少なくとも一つのエリアを含むことを特徴とする請求項１に記載の包装装置。
【請求項３】
前記包装装置は、前記筐体内に設けられる、商品情報を含む読み取り可能なチップをさらに備え、前記読み取り可能なチップは、シート状又はストライプ状であり、前記開封部の少なくとも一部を被覆するか又は前記開封部の近傍に位置し、前記読み取り可能なチップは開封部の破壊によって破壊されることを特徴とする特徴とする請求項１に記載の包装装置。
【請求項４】
前記読み取り可能なチップは、前記有効エリアに対向して配置されることを特徴とする請求項３に記載の包装装置。
【請求項５】
商品を収容するための収容空間を画定する筐体を備える商品偽造防止用包装装置であって、前記筐体は、収容空間からの前記商品の取り出しを容易にするために破壊されるように構成されている開封部を有し、
前記筐体の外面に宝くじ部が設けられ、前記宝くじ部に有効エリアが設けられ、且つ、
前記筐体は、前記有効エリアを一括的に被覆して前記開封部の少なくとも一部を被覆する被覆部をさらに有することを特徴とする商品偽造防止用包装装置。
【請求項６】
前記被覆部は、前記開封部の全体を被覆することを特徴とする請求項５に記載の包装装置。
【請求項７】
前記被覆部は、前記筐体のエッジ部分であることを特徴とする請求項５に記載の包装装置。
【請求項８】
前記有効エリアは、前記開封部の少なくとも一部を被覆するか又は前記開封部の近傍に位置し、前記有効エリアは前記開封部の破壊によって破壊されるように構成されていることを特徴とする請求項５に記載の包装装置。
【請求項９】
前記有効エリアは、前記被覆部によって被覆されている賞品引き換えバーコードエリアを含み、または、
前記有効エリアは、賞品引き換えバーコードエリア及び宝くじバーコードエリアを含み、前記被覆部は、前記賞品引き換えバーコードエリア及び宝くじバーコードエリアを被覆し、または、
前記有効エリアは、宝くじバーコードエリアを含み、前記被覆部は、前記宝くじバーコードエリアを被覆することを特徴とする請求項８に記載の包装装置。
【請求項１０】
前記包装装置は、前記筐体内に設けられる、商品情報を含む読み取り可能なチップをさらに備え、前記読み取り可能なチップはシート状又はストライプ状であり、前記開封部の少なくとも一部を被覆するか又は前記開封部の近傍に位置し、前記読み取り可能なチップは、開封部の破壊によって破壊されるように構成されていることを特徴とする請求項８に記載の包装装置。
【請求項１１】
前記筐体は、基体層および基体の外面で前記基体を被覆する表面層を有し、前記宝くじ部は、前記表面層の構成部分であることを特徴とする請求項１〜１０のいずれか１項に記載の包装装置。
【請求項１２】
前記開封部は、その両側での筐体部分の相対移動によって開裂又は切断するように構成されている開封線を含むことを特徴とする請求項１〜１０のいずれか１項に記載の包装装置。
【請求項１３】
前記開封部は、筐体の構成部分である２つのパッケージシートを備え、前記２つのパッケージシートは、互いに積層されており、前記読み取り可能なチップは、前記２つのパッケージシートの間に配置され、且つ前記読み取り可能なチップの一端は、前記２つのパッケージシートの一方に固定され、前記読み取り可能なチップの他端は前記２つのパッケージシートの他方に固定され、または、
前記開封部は、その両側での筐体部分の相対移動によって開裂又は切断する開封線を含み、且つ前記読み取り可能なチップの両端は、前記開封線の両側に位置する相対移動可能な部分にそれぞれ固定されることを特徴とする請求項３又は１０に記載の包装装置。
【請求項１４】
前記読み取り可能なチップの両端の間には、前記開封部の破壊によって破断又は切断するように構成されている破断構造を有することを特徴とする請求項１３に記載の包装装置。
【考案の詳細な説明】
【技術分野】
【０００１】
本実用新案の実施例は、商品包装分野に関し、特に、商品を包装するための包装装置に関する。
【背景技術】
【０００２】
商品、特に高級品の偽造防止は益々人々に重視されるようになった。多くの生産メーカーは、その製品にバーコード及びレーザーマークなどの複数の偽造防止措置を同時に採用しているが、製品は、依然として他人に偽造されている。ショッピング者本人がバーコード及びレーザーマークの真偽を区別することが難しく、また、生産メーカーが採用している一部の偽造防止手段は技術的に偽造される可能性があるからである。また、生産メーカーは、市場に偽物が流通しているか否かをリアルタイムで発見することができず、偽造者に利用される可能性がある。
【考案の概要】
【考案が解決しようとする課題】
【０００３】
上記技術的課題の少なくとも一方を解決または改善するために本実用新案を提案する。
【課題を解決するための手段】
【０００４】
本実用新案の実施例の一態様によれば、商品を収容するための収容空間を画定する筐体を備える商品偽造防止用包装装置であって、前記筐体は、収容空間からの前記商品の取り出しを容易にするために破壊されるように構成されている開封部を有し、前記筐体の外面に宝くじ部が設けられ、前記宝くじ部の有効エリアは前記開封部の少なくとも一部を被覆し、前記有効エリアは前記開封部の破壊によって破壊されるように構成されている商品偽造防止用包装装置が提案されている。
【０００５】
選択可能に、前記有効エリアは、宝くじスクラッチエリア、宝くじバーコードエリア及び賞品引き換えバーコードエリアのうちの少なくとも一つのエリアを含む。
【０００６】
選択可能に、前記包装装置は、前記筐体内に設けられる、商品情報を含む読み取り可能なチップをさらに備え、前記読み取り可能なチップは、シート状又はストライプ状であり、前記開封部の少なくとも一部を被覆するか又は前記開封部の近傍に位置し、前記読み取り可能なチップは開封部の破壊によって破壊されるように構成されている。
【０００７】
選択可能に、前記読み取り可能なチップは、前記有効エリアの位置に対向して配置される。
【０００８】
本実用新案の実施例の別の態様によれば、商品を収容するための収容空間を画定する筐体を備える偽造防止用包装装置であって、前記筐体は、収容空間からの前記商品の取り出しを容易にするために破壊されるように構成されている開封部を有し、前記筐体の外面に宝くじ部が設けられ、前記宝くじ部に有効エリアが設けられ、且つ、前記筐体は、前記有効エリアを一括的に被覆して前記開封部の少なくとも一部を被覆する被覆部をさらに有する偽造防止用包装装置が提案されている。
【０００９】
選択可能に、前記被覆部は前記開封部の全体を被覆する。
【００１０】
選択可能に、前記被覆部は前記筐体のエッジ部分である。
【００１１】
選択可能に、前記有効エリアは前記開封部の少なくとも一部を被覆するか又は前記開封部の近傍に位置し、前記有効エリアは前記開封部の破壊によって破壊されるように構成されている。
【００１２】
選択可能に、前記有効エリアは、前記被覆部によって被覆されている賞品引き換えバーコードエリアを含み、または、前記有効エリアは、賞品引き換えバーコードエリア及び宝くじバーコードエリアを含み、前記被覆部は、前記賞品引き換えバーコードエリア及び宝くじバーコードエリアを被覆し、または、前記有効エリアは、宝くじバーコードエリアを含み、前記被覆部は、前記宝くじバーコードエリアを被覆する。
【００１３】
選択可能に、前記包装装置は、前記筐体内に設けられる、商品情報を含む読み取り可能なチップをさらに備え、前記読み取り可能なチップは、シート状又はストライプ状であり、前記開封部の少なくとも一部を被覆するか又は前記開封部の近傍に位置し、前記読み取り可能なチップは開封部の破壊によって破壊されるように構成されている。
【００１４】
選択可能に、上記包装装置において、前記筐体は、基体層および基体の外面で前記基体を被覆する表面層を有し、前記宝くじ部は、前記表面層の構成部分である。
【００１５】
選択可能に、前記開封部は、その両側での筐体部分の相対移動によって開裂又は切断するように構成されている開封線を含む。
【００１６】
選択可能に、前記開封部は筐体の構成部分である２つのパッケージシートを備え、前記２つのパッケージシートは互いに積層されており、前記読み取り可能なチップは前記２つのパッケージシートの間に配置され、且つ前記読み取り可能なチップの一端は前記２つのパッケージシートの一方に固定され、前記読み取り可能なチップの他端は前記２つのパッケージシートの他方に固定され、または、前記開封部は、その両側での筐体部分の相対移動によって開裂又は切断する開封線を含み、且つ前記読み取り可能なチップの両端は前記開封線の両側に位置する相対移動可能な部分にそれぞれ固定される。さらに、前記読み取り可能なチップの両端の間には、前記開封部の破壊によって破断又は切断されるように構成されている破断構造を有する。
【考案の効果】
【００１７】
上記技術案によれば、宝くじの有効エリアと包装装置の開封部とを関連付けるか又は、宝くじの有効エリアと包装装置の開封部が被覆されている被覆部とを関連付けることにより、本物の宝くじを利用して商品の真偽を判断することができる。読み取り可能なチップを開封部の破壊によって破壊されるように設置する場合には、読み取り可能なチップを利用して偽造防止機能をさらに実現することができる。これらの偽造防止機能は偽物の製造と流通を防止するのに役立つ。
【００１８】
読み取り可能なチップが設けられている場合には、生産メーカーも商品の販売情報を知りやすく、偽物の製造と流通を防止するのにも役立つ。
【図面の簡単な説明】
【００１９】
以下の説明と添付図面は、本実用新案によって開示された様々な実施例におけるこれら及び他の特徴、利点の理解をよりよく助けることができ、図中の同一の図面符号は常に同一の部材を示している。
【００２０】
【図１】本実用新案の一実施例に係る商品偽造防止用包装装置の概略図である。
【図２】本実用新案の一実施例に係るRFIDチップの概略図である。
【図３】本実用新案の一実施例に係るRFIDチップの設置の概略図である。
【考案を実施するための形態】
【００２１】
以下に、実施例により、本実用新案の技術案について、図面を参照しながら更に具体的に説明する。図面を参照した本実用新案の実施形態の下記の説明は、本実用新案の全体的な実用新案の構想を説明することを目的とするものであり、本実用新案を限定するものと解釈されるべきではない。
【００２２】
図１は本実用新案の一実施例に係る商品偽造防止用包装装置の概略図である。図１に示されるように、商品偽造防止用包装装置は、商品を収容するための収容空間を画定する筐体１００を備え、前記筐体１００は開封部を有し（図１に示される例では、一例として、筐体１００は、稜線から引き裂かれ、稜線は開封部に対応することができ、理解できるように、当該稜線は強度の弱化処理を行うことができる。言い換えれば、前記開封部は、その両側での筐体部分の相対移動によって開裂又は切断する開封線を含む）、前記開封部は収容空間からの前記商品の取り出しを容易にするために破壊されるように構成されている。そのうち、前記筐体の外面に宝くじ部１が設けられ、前記宝くじ部の有効エリアは前記開封部の少なくとも一部を被覆し、前記有効エリアは前記開封部の破壊によって破壊されるように構成されている。
【００２３】
ここでの有効エリアは、宝くじスクラッチエリア、宝くじバーコードエリア、及び賞品引き換えバーコードエリアのうちの少なくとも一つのエリアを含む。図１に示される例では、スクラッチエリアが前記開封部の少なくとも一部を被覆する。
【００２４】
図１に示される実施例では、宝くじ部１は宝くじスクラッチエリア、宝くじバーコードエリア、および賞品引き換えバーコードエリアを含む。宝くじバーコードエリアは宝くじの身分情報と理解され、一枚の宝くじは一つの宝くじバーコードに対応する。賞品引き換えバーコードエリアは賞品引き換え時に使用され、一旦削られると当該宝くじが既に賞品引き換えられたことを示すか又は賞品引き換えバーコードエリアが削られた宝くじは賞品引き換えには使用できないと考える。本実用新案では、宝くじにバーコードが使用されているが、宝くじの識別（賞品引き換え識別を含む）にも数字または他の識別方式を使用してもよいと理解されるべきである。本実用新案の請求項におけるバーコードは、宝くじを識別するバーコードと同等の他の方式も含み、いずれも本実用新案の保護範囲内である。
【００２５】
なお、開封部は図１に示される稜線に限られない。例えば、筐体を端部から解体する必要がある場合、開封部は筐体の端面にあってもよく、この場合、開封部は端面に設けられた開封線であってもよい。例えば、この開封線の近傍を下に押すことにより、筐体の端面の一部を落ち込ませて開封線から破断させることができる。
【００２６】
なお、開封部は稜線または開封線に限られず、開封部は一面であってもよく、例えば、筐体の端面が開封部を構成してもよい（言い換えれば、筐体の端面を破壊することにより商品を筐体から取り出すことができる）。
【００２７】
上記の開封部はすべて本実用新案の保護範囲内である。
【００２８】
図１に示される例では、宝くじの有効エリアが開封部を被覆するが、本実用新案はこれに限られない。筐体は、前記有効エリアを一括的に被覆して前記開封部の少なくとも一部を被覆する被覆部を設けることができる。ここでの「一括的に」とは、この被覆部が破壊されたり取り除かれたりした後に復元できないことを意味し、破壊された後に復元できない被覆構造はいずれも本実用新案に適用することができ、いずれも本実用新案の保護範囲内である。被覆部は開封部の少なくとも一部を被覆し、開封部を開けたり破壊したりする必要がある場合、先に被覆部を除去したり開けたりする必要があることを示す。先に開ける必要がある使い捨ての被覆部は宝くじの有効エリアも同時に被覆するため、このような構造は商品偽造防止にも用いることができる。
【００２９】
被覆部は、開封部全体を被覆してもよいし、開封部の一部のみを被覆してもよい。
【００３０】
また、一実施例では、有効エリアは、前記開封部の少なくとも一部を被覆するか又は前記開封部の近傍に位置してもよく、前記有効エリアは前記開封部の破壊によって破壊されるように構成されている。ここでの「近傍」とは、距離が近いため開封部が破壊されるときに、有効エリアも破壊されると理解することができ、この場合に、いずれも「近傍」となる。
【００３１】
前記有効エリアは、前記被覆部によって被覆されている賞品引き換えバーコードエリアを含むことができる。または、前記有効エリアは、賞品引き換えバーコードエリア及び宝くじバーコードエリアを含むことができ、前記被覆部は、前記賞品引き換えバーコードエリア及び宝くじバーコードエリアを被覆する。あるいは、前記有効エリアは、宝くじバーコードエリアを含むことができ、前記被覆部は、前記宝くじバーコードエリアを被覆する。
【００３２】
また、本実用新案の実施例では、被覆部は筐体のエッジ部分であってもよい。ここでのエッジ部分とは、例えば、筐体が収容空間を画定する立体形状の前の平面形状の縁であり、より具体的には、包装装置が稜線を有する収容空間に形成されている場合には、稜線を回避して隣接面のエッジ部分を被覆することで、被覆部を構成できる。さらに、例えば、収容空間の端部を画定する筐体部分である。
【００３３】
図１に示されるように、前記包装装置は、前記筐体内に設けられる、商品情報を含むRFIDチップ２をさらに備え、前記RFIDチップは、シート状又はストライプ状であり、前記開封部の少なくとも一部を被覆するか又は前記開封部の近傍に位置し、前記RFIDチップは開封部の破壊によって破壊されるように構成されている。同様に、ここでの「近傍」とは、距離が近いため開封部が破壊されるときに、RFIDチップも破壊されると理解することができ、この場合には、いずれも「近傍」となる。図１において、RFIDチップ２は有効エリアにおける宝くじスクラッチエリアの近傍に設けられる。
【００３４】
本実用新案では、RFIDチップを例に説明する。なお、商品の情報を含むことができ、電子読み取りが可能なチップであれば、いずれも本実用新案の保護範囲内である。
【００３５】
図示していないが、RFIDチップは、包装装置の筐体の内側に配置され、前記有効エリアの位置に対向して配置されていてもよい。
【００３６】
RFIDチップもパッケージとしての役割を果たすことができる。前記開封部は、筐体の構成部分である２つのパッケージシート１１および１２を備え、前記２つのパッケージシートは互いに積層されており、図３に示されるように、前記RFIDチップ２は前記２つのパッケージシートの間に配置され、且つ前記RFIDチップの一端は前記２つのパッケージシートの一方に固定され、前記RFIDチップの他端は前記２つのパッケージシートの他方に固定される。または前記開封部は、その両側での筐体部分の相対移動によって開裂又は切断する開封線を含み、且つ前記RFIDチップの両端は前記開封線の両側に位置する相対移動可能な部分にそれぞれ固定される。更なる実施例では、図２に示されるように、前記RFIDチップ２の両端の間に、前記開封部の破壊によって破断又は切断されるように構成されている破断構造２１を有する。
【００３７】
以上に基づき、本実用新案は以下の技術案を提案した。
【００３８】
１．商品を収容するための収容空間を画定する筐体を備える商品偽造防止用包装装置であって、前記筐体は、収容空間からの前記商品の取り出しを容易にするために破壊されるように構成されている開封部を有し、
前記筐体の外面に宝くじ部が設けられ、前記宝くじ部の有効エリアは前記開封部の少なくとも一部を被覆し、前記有効エリアは前記開封部の破壊によって破壊されるように構成されている商品偽造防止用包装装置。
【００３９】
２．商品を収容するための収容空間を画定する筐体を備える商品偽造防止用包装装置であって、前記筐体は、収容空間からの前記商品の取り出しを容易にするために破壊されるように構成されている開封部を有し、
前記筐体の外面に宝くじ部が設けられ、前記宝くじ部に有効エリアが設けられ、且つ、
前記筐体は、前記有効エリアを一括的に被覆して前記開封部の少なくとも一部を被覆する被覆部をさらに有する商品偽造防止用包装装置。
【００４０】
上記の包装装置は、前記筐体内に設けられる、商品情報を含むRFIDチップをさらに備えることができ、前記RFIDチップは、シート状又はストライプ状であり、前記開封部の少なくとも一部を被覆するか又は前記開封部の近傍に位置し、前記RFIDチップは開封部の破壊によって破壊されるように構成されている。
【００４１】
前記開封部は筐体の構成部分である２つのパッケージシートを備えることができ、前記２つのパッケージシートは互いに積層されており、前記RFIDチップは前記２つのパッケージシートの間に配置され、且つ前記RFIDチップの一端は前記２つのパッケージシートの一方に固定され、前記RFIDチップの他端は前記２つのパッケージシートの他方に固定され、または、前記開封部は、その両側での筐体部分の相対移動によって開裂又は切断する開封線を含み、且つ前記RFIDチップの両端は前記開封線の両側に位置する相対移動可能な部分にそれぞれ固定される。
【００４２】
なお、本実用新案では、宝くじ部とは確認可能な宝くじであり、例えばこの宝くじは国家関係機関が認可・発行した宝くじであり、消費者は照会により宝くじの真偽を確認することができる。
【００４３】
本実用新案の実施例を既に説明して記載したが、当業者にとって、本実用新案の原理及び思想を逸脱しない限り、これらの実施例を変更することができ、本実用新案の範囲は添付の請求項及びその均等物により限定されると理解される。
【図１】
0003229334.tif 000003
【図２】
0003229334.tif 000004
【図３】
0003229334.tif 000005